(57)【要約】【課題】取付具本体を支柱に装着する場合、迅速に取付作業ができ、支柱の外径サイズが太くても細くても、夫々対応して支柱に対して取付けることができる導線取付具を提供する。【解決手段】  第１狭窄部材の孔は長孔に構成し、長孔における幅寸法はボルト頭が通過しないようにその直径より狭く形成し、第２狭窄部材の孔はダルマ孔で構成し、ダルマ孔における大径の孔の幅寸法はボルト頭が通過できるようにその直径より大きく形成し、小径の孔の幅寸法はボルト頭が通過しないようにその直径より狭く形成してある。【選択図】    図２
2008252524.tif 000002
【特許請求の範囲】
【請求項１】
支柱の外径に対応する内径形状に形成されているＣ字状の把持部と、
上記把持部の二つの自由端から夫々並行して延出させた第１狭窄部材と第２狭窄部材を有する狭窄部であって、その狭窄部における第１狭窄部材と第２狭窄部材には、夫々対応位置にボルト挿通用の孔を形成している狭窄部と、
導線を保持する為に上記第１狭窄部材と第２狭窄部材の先部に備えさせた保持部とを一体成形して成り、
ボルトを上記第１、第２狭窄部材に夫々形成されている孔に刺し通して締付けることにより、把持部と保持部を縮小させて支柱に対して導線を沿え着するようにした導線取付具において、
上記第１狭窄部材の孔は長孔に構成し、長孔における幅寸法はボルト頭が通過しないようにその直径より狭く形成し、
上記第２狭窄部材の孔はダルマ孔で構成し、ダルマ孔における大径の孔の幅寸法はボルト頭が通過できるようにその直径より大きく形成し、小径の孔の幅寸法はボルト頭が通過しないようにその直径より狭く形成してあることを特徴とする導線取付具。
【請求項２】
支柱の外径に対応する内径形状に形成されているＣ字状の把持部と、
上記把持部の二つの自由端から夫々並行して延出させた第１狭窄部材と第２狭窄部材を有する狭窄部であって、その狭窄部における第１狭窄部材と第２狭窄部材には、夫々対応位置にボルト挿通用の孔形成している狭窄部と、
導線を保持する為に上記第１狭窄部材と第２狭窄部材の先部に備えさせた保持部とを一体成形して成り、
ボルトを上記第１、第２狭窄部材に夫々形成されている孔に刺し通して締付けることにより、把持部と保持部を縮小させて支柱に対して導線を沿え着するようにした導線取付具において、
上記把持部の内側には、Ｃ字状の調節部材を着脱自在に備えさせ、
上記調節部材の内径寸法は、上記把持部の内径に対応する支柱の外径より細径の支柱に対応する寸法に構成し、外径寸法は上記把持部の内径寸法に対応するように構成することを特徴とする導線取付具。 
【発明の詳細な説明】
【技術分野】
【０００１】
本発明は、支柱に沿わせて配線する導線の導線取付具に関する。
【背景技術】
【０００２】
従来より導線取付具は広く知られている。例えば特許文献１に示される支柱に沿わせて配線する導線の導線取付具等を含めて広く知られている。
例えば特許文献１に示される導線取付具は次のように構成されている。
支柱の外径に対応する内径形状に形成されているＣ字状の把持部と、上記把持部の二つの自由端から夫々並行して延出させた第１狭窄部材と第２狭窄部材を有する狭窄部であって、その狭窄部における第１狭窄部材と第２狭窄部材には、夫々対応位置にボルト挿通用の孔を形成している狭窄部と、導線を保持する為に上記第１狭窄部材と第２狭窄部材の先部に備えさせた保持部とを一体成形して成り、ボルトを上記第１、第２狭窄部材に夫々形成されている孔に刺し通して締付けることにより、把持部と保持部を縮小させて支柱に対して導線を沿え着するようにしてある（例えば、特許文献１参照）。
上記構成の導線取付具は、使用に際して、支柱に対して導線を沿わせた状態で保持できるは勿論、金属製の支柱から高周波的に離らせて取付けたい導線（例えば平行フィーダ）でも、金属製の支柱から高周波影響を受けることなく保持できる利点がある。
【０００３】
【特許文献１】意匠登録第５２８１９６号公報
【発明の開示】
【発明が解決しようとする課題】
【０００４】
この従来の導線取付具は、使用に際しては、ボルトから蝶ねじを外し、ボルトを抜き取る。
次に、導線取付具の保持部を拡げて把持部の口を開き、支柱の外周に把持部を嵌めて、保持部の内側に導線を位置させる。
その後、再びボルトを狭窄部の孔に刺し通し、蝶ねじを螺合させて締付けなければならぬ煩わしい作業上の問題点があった。またボルトを落として紛失させる問題点もあった。
さらに現場において、支柱の外径サイズが予定したサイズと異なる場合、導線取付具がその支柱に対応せず、直ちに用意した導線取付具を使えない問題点あった。
【０００５】
本件出願の目的は、支柱に対して導線を沿わせた状態で保持できるは勿論、金属製の支柱から高周波的に離らせて取付けたい導線（例えば平行フィーダ）でも、金属製の支柱から高周波影響を受けることなく保持できる導線取付具を提供しようとするものである。
他の目的は、取付具本体を支柱に装着する場合、迅速に取付作業ができる導線取付具を提供しようとするものである。
他の目的は、支柱の外径サイズが太くても細くても、夫々対応して支柱４に対して取付けることができる導線取付具を提供しようとするものである。
他の目的及び利点は図面及びそれに関連した以下の説明により容易に明らかになるであろう。
【課題を解決するための手段】
【０００６】
本発明における導線取付具は、支柱４の外径に対応する内径形状に形成されているＣ字状の把持部１３と、上記把持部１３の二つの自由端１９、２０から夫々並行して延出させた第１狭窄部材２７と第２狭窄部材２８を有する狭窄部１４であって、その狭窄部１４における第１狭窄部材２７と第２狭窄部材２８には、夫々対応位置にボルト挿通用の孔３３、３４を形成している狭窄部１４と、導線６を保持する為に上記第１狭窄部材２７と第２狭窄部材２８の先部に備えさせた保持部１５とを一体成形して成り、ボルト４６を上記第１、第２狭窄部材２７、２８に夫々形成されている孔３３、３４に刺し通して締付けることにより、把持部１３と保持部１５を縮小させて支柱に対して導線６を沿え着するようにした導線取付具１０において、上記第１狭窄部材２７の孔３３は長孔に構成し、長孔３３における幅寸法Ｄ３はボルト頭４８が通過しないようにその直径Ｄ１より狭く形成し、上記第２狭窄部材２８の孔３４はダルマ孔で構成し、ダルマ孔３４における大径の孔34ａの幅寸法Ｄ２はボルト頭４８が通過できるようにその直径Ｄ１より大きく形成し、小径の孔34ｂの幅寸法Ｄ３はボルト頭４８が通過しないようにその直径Ｄ１より狭く形成してある。
【０００７】
また好ましくは、支柱４の外径に対応する内径形状に形成されているＣ字状の把持部１３と、上記把持部１３の二つの自由端１９、２０から夫々並行して延出させた第１狭窄部材２７と第２狭窄部材２８を有する狭窄部１４であって、その狭窄部１４における第１狭窄部材２７と第２狭窄部材２８には、夫々対応位置にボルト挿通用の孔３３、３４形成している狭窄部１４と、導線６を保持する為に上記第１狭窄部材２７と第２狭窄部材２８の先部に備えさせた保持部１５とを一体成形して成り、ボルト４６を上記第１、第２狭窄部材２７、２８に夫々形成されている孔３３、３４に刺し通して締付けることにより、把持部１３と保持部１５を縮小させて支柱に対して導線６を沿え着するようにした導線取付具１０において、上記把持部１３の内側には、Ｃ字状の調節部材５１を着脱自在に備えさせ、上記調節部材５１の内径寸法Ｄ６は、上記把持部１３の内径に対応する支柱の外径より細径の支柱に対応する寸法に構成し、外径寸法は上記把持部１３の内径寸法に対応するように構成するものであればよい。
【発明の効果】
【０００８】
以上のように本発明は、支柱に対して導線を取付ける作業に際し、取付具本体１２を支柱に装着する場合、ボルト頭４８をダルマ孔３４の大径の孔34ａ側に移動させて広げると、狭窄部１４に挿通されていたボルト４６は、一方の第１狭窄部材２７に付き従って移動し、支柱への取付の邪魔にならない特長がある。
しかも、その場合、第１狭窄部材２７に形成した長孔３３の幅寸法Ｄ３はボルト頭４８の直径Ｄ１より狭く構成したので、ボルト４６は取付具本体１２から脱落することなく、取付具本体１２を閉じた後は、直ちにボルト４６と蝶ねじ４９で締着することができるので、迅速に取付作業ができる作業上の効果がある。
【０００９】
さらに本発明は、調節部材５１を選択的に着脱することによって、支柱４の外径サイズが太くても細くても、夫々対応して導線取付具１０を支柱４に対して取付けることができる使用上の効果がある。
【発明を実施するための最良の形態】
【００１０】
以下本発明の実施の形態を図面を用いて説明する。
図１において、１は建造物、例えば家屋を示し、２、３、４、５、６は周知のように建造物１の屋根の上方に設置されたアンテナ、アンテナ２をする為の基枠（屋根馬ともいわれる）、金属製の支柱、ブースタ、導線を夫々示す。１０は導線６を支柱に沿って取付ける導線取付具を示す。
【００１１】
導線取付具１０における取付具本体１２について説明する（図２、４、５参照）。図示の如く取付具本体１２は、支柱４の外周に抱き抱え状に装着するように、支柱４の外径に対応する内径形状に形成されているＣ字状の把持部１３と、狭窄部１４と、導線を位置させる為の保持部１５とを備え、図５に一点鎖線で示されるように、柔軟的に拡張するようにプラスチック等の合成樹脂材で一体的に形成している。
１８は把持部１３における環状部を示し、その内径寸法Ｄ５は周知の汎用される太い支柱の外径寸法（例えば32mm）に対応する寸法にしてある。
１９、２０は、狭窄部１４との連結部としての第１自由端部、第２自由端部を夫々示す。第１、第２自由端部１９、２０間の間隙部２１は、取付具本体１２を閉じた状態（例えば図２、４の状態）では支柱が通過できず、取付具本体１２を広げた状態（図５の状態）では、支柱が通過可能になるような寸法にしてある。
２４は、後述する調節部材５１の凸部５８と嵌合する為の凹部を示し、図示の如く環状部１３の内面２２に形成されている。
【００１２】
２７は、元部27ａが環状部１８の第１自由端１９に連結された第１狭窄部材、２８は、元部28ａ環状部１８の第２自由端２０に連結された第２狭窄部材を示し、第１、第２狭窄部材２７、２８は間隙３０を隔てて平行して対向するように形成されている。間隙３０の寸法は、取付具本体１２の把持部１３に支柱を位置させた状態で周知の締着手段（ボルト４６、蝶ねじ４７）で締付けたとき、把持部１３の内面２２が支柱の外周面に圧接するような寸法にしてある。第１、第２狭窄部材２７、２８の長さ寸法は、支柱に対して導線６を取付けた状態で、支柱４と導線６とが所定の長さＬ離間するような長さ（金属製の支柱から高周波的に離れる長さ）寸法に設定されている（図４（Ａ）参照）。３３は第１狭窄部材２７に形成された長孔を示す。３４は第２狭窄部材２８に形成されたダルマ孔（図示の如く大径の孔34ａと小径の孔34ｂが連通した孔）を示す。３５は、ボルト４６がダルマ孔に挿通された状態で、ボルト頭４８を小径の孔34ｂ側位置に維持する為の滑り止め片を示す。上記長孔３３，ダルマ孔３４の巾寸法は、締着手段としてのボルト４６のボルト頭４８の直径寸法との関係で設定されている（図６参照）。即ち、ダルマ孔３４における大径の孔34ａの幅寸法Ｄ２はボルト頭４８が通過できるようにその直径Ｄ１より大きく形成し、長孔３３およびダルマ孔３４における小径の孔34ｂの幅寸法Ｄ３はボルト頭４８が通過しないようにその直径Ｄ１より狭く形成してある。３６は補強部を示す。
【００１３】
４０は元部40ａが第１狭窄部材２７の先部27ｂに連結された第１保持部材、
４１は元部41ａが第２狭窄部材２８の先部28ｂに連結された第２保持部材を示す。４２、４３は夫々第１保持部材４０に形成された第１凹部、第２保持部材４１に形成された第２凹部を示し、４５は導線６を存置する為の汎用導線に対応寸法の間隙を示す。
４７、47ａ、４９は夫々、周知のボルト４６のボルト軸、雄ねじ、蝶ねじを示す。
【００１４】
次に、導線取付具１０における調節部材５１について説明する（図３、４参照）。５２は平面形状がＣ字状に形成された環状体を示す。
環状体５２の厚み寸法は、取付具本体１２の把持部１３内に位置した状態（図４の状態）で内径寸法Ｄ６が寸法Ｄ５よりも細い支柱の外径寸法（例えば22mm）に対応するような厚み寸法に設定してある。
環状体５２の第１自由端５３と第２自由端５４との間隙５５は、環状体５２を閉じた状態（例えば図３、４の状態）では細径の支柱が通過できず、環状体５２を図３（Ａ）の矢印６０、６１方向に広げた状態では、細径の支柱が通過可能になるような寸法にしてある。
環状体５２の内面５６は支柱の外周面に対応形状にしてある。
外面５７において、57ａは外面５７から突出状に形成された凸条、57ｂは凸条57ａの間の凹溝を示し、環状体５２の上記したように厚みを備え、かつ、矢印６０、６１方向に柔軟に拡張できるように凸条57ａと凹溝57ｂを段状に構成してある。
５８は上記取付具本体１２の凹部との嵌合用の突部を示す。
【００１５】
上記構成のものを用いて支柱４に対して導線６を取付ける作業について説明する。
支柱４が太径のものである場合について説明する。
なお、導線取付具１０は、取付具本体１２における狭窄部１４の長孔３３とダルマ孔３４にボルト４６が挿通され、蝶ねじで止まっているものとする。
まず、蝶ねじ４９を少しゆるめ、ボルト頭４８を滑り止め片３５を乗り越えてダルマ孔３４の大径の孔34ａ側に移動させる。保持部１５における第１、第２保持部材４０、４１を両手でもって夫々を図５の矢印６２、６３方向に広げる。すると、ボルト頭４８はダルマ孔の大径の孔34ａを通過し、ボルト４６は、図５に示されるように第１狭窄部材２７側にくっついている。上述したようにボルト頭４８の直径は第１狭窄部材２７における長孔３３の幅寸法Ｄ２より大きいので、この状態では、ボルト４７と蝶ねじ４９は取付具本体１２から脱落するおそれはない。
引き続いて、開いた状態（図５の一点鎖線の状態）の取付具本体１２を、支柱に向けて矢印６４方向に進め、支柱４が環状部１８の間隙２１を通過し、環状部１８内に位置したら、第１、第２保持部材４０、４１を矢印６２、６３方向に広げる力を緩める。すると取付具本体１２は図５の実線で示される状態に戻る。
次に、ボルト頭４８がダルマ孔の大径の孔34ａを通過するように、ボルト４６をダルマ孔３４の大径の孔34ａに挿通し、ボルト頭４８を滑り止め片３５を乗り越えてダルマ孔３４の小径の孔34ｂ側に移動させる。そして、通常行われるように、導線６を保持部材４０、４１の先部40ｂ、先部41ｂから挿入して存置空間（間隙）４５に位置させ、蝶ねじ４９を締付けて、支柱４に対して取付具本体１２を装着する。
【００１６】
次に、支柱４が細径のものである場合について説明する。
まず、調節部材５１を支柱に対して装着する。その場合、調節部材５１の自由端５３、５４を弾力的に広げ（図３の矢印６０、６１方向に広げ）、広がった挿入口（間隙）５５を細径の支柱に差し込んで装着する。
次に、取付具本体１２を上述した太径の支柱に対する装着作業と同様の手順でもって、調節部材５１の外周面に対して取付具本体１２を装着し、導線６を取付ける。なお、図４のように取付具本体１２に調節部材５１が装着されている状態で、支柱４に装着してもよい。
以上のように、調節部材５１を選択的に着脱することによって、
支柱の外径サイズが太くても細くても、夫々対応して導線取付具１０を支柱に対して取付けることができる。
【図面の簡単な説明】
【００１７】
【図１】建造物とその屋根の上に配置された屋根馬、支柱、アンテナ、ブースタ、導線、導線取付具等の位置関係を概略図。
【図２】導線取付具における取付具本体を説明する為の斜視図で、（Ａ）は、第１狭窄部材、長孔等が上側に位置する状態を示す図で、（Ｂ）は第２狭窄部材、ダルマ孔等が上側に位置する状態を示す図。
【図３】調節部材を説明する為の概略斜視図で、（Ａ）は外周面における凸部側を示す図で、（Ｂ）は間隙（挿入口）側を示す図。
【図４】（Ａ）は導線取付具を説明する為の平面図、（Ｂ）は（Ａ）におけるIII−III線断面図。
【図５】導線取付具の取付作業を説明する為の概略図で、一点鎖線は保持部を拡げて把持部の口を開いた状態を説明する為の概略図。
【図６】ボルト頭と、長孔と、ダルマ孔の関係を説明する為の概念模式図。
【符号の説明】
【００１８】
１・・・建造物、２・・・アンテナ、３・・・基枠（屋根馬）、４・・・支柱（マスト）、５・・・ブースタ、６・・・導線（給電線）、１０・・・導線取付具、１２・・・取付具本体、１３・・・把持部、 １４・・・狭窄部、１５・・・保持部、１８・・・環状部、１９・・・第１自由端部（連結部）、２０・・・第２自由端部（連結部）、 ２１・・・間隙部、２２・・・内面、２４・・・凹部、２７・・・第１狭窄部材、27ａ・・・元部、27ｂ・・・先部、２８・・・第２狭窄部材、28ａ・・・元部、28ｂ・・・先部、３０・・・間隙、３３・・・長孔、３４・・・ダルマ孔、３５・・・滑り止め片、３６・・・補強部、４０・・・第１保持部材、40ａ・・・元部、40ｂ・・・先部、４１・・・第２保持部材、41ａ・・・元部、41ｂ・・・先部、４２・・・第１凹部、４３・・・第２凹部、４５・・・間隙、４６・・・ボルト、４７・・・ボルト軸、47ａ・・・雄ねじ、４８・・・ボルト頭、４９・・・蝶ねじ、５１・・・調節部材、５２・・・環状体、５３・・・第１自由端、５４・・・第２自由端、５５・・・間隙（挿入口）、５６・・・内周面、５７・・・外面、57ａ・・・凸条、57ｂ・・・凹溝、５８・・・突部
【図１】
2008252524.tif 000003
【図２】
2008252524.tif 000004
【図３】
2008252524.tif 000005
【図４】
2008252524.tif 000006
【図５】
2008252524.tif 000007
【図６】
2008252524.tif 000008